(57)【要約】【課題】ドアガードを使用して用心位置まで開扉した際に、用心位置に扉を保持させる場合と用心位置に保持させずにそのまま閉扉する場合とを操作者が任意に選択して使い分けることができるドアガードの提供。【解決手段】係合軸がアームのストッパ部に当接した状態からアームが係合軸先端側に回動すると扉を用心位置に保持できるドアガードにおいて、開扉操作により係合軸がストッパ部に当接した状態においてアームの係合軸先端側への自由回動を阻止するアーム規制部が設けられ、用心位置においてアームを別途操作することにより、アームが係合軸先端側に回動するよう構成されている。【選択図】　　　図５
2004044274.tif 000002
【特許請求の範囲】
【請求項１】
長手方向に沿ってスライド孔が形成されその基端部が扉側に回動自在に取り付けられるアームと、扉枠側に取り付けられ、前記スライド孔に係合すると共に開扉操作に伴ってスライド孔をアーム先端側へと相対移動する係合軸とを備え、該係合軸がアームのストッパ部に当接することにより所定の用心位置に開扉を制限するように構成されると共に、該係合軸がストッパ部に当接した状態からアームが係合軸先端側に回動すると扉を用心位置に保持できるドアガードにおいて、
開扉操作により係合軸がストッパ部に当接した状態においてアームの係合軸先端側への自由回動を阻止するアーム規制部が設けられ、用心位置においてアームを別途操作することにより、アームが係合軸先端側に回動するよう構成されていることを特徴とするドアガード。
【請求項２】
係合軸の先端部にはスライド孔からの抜け止め用凸部が設けられ、該抜け止め用凸部を案内するアームのガイド面には、抜け止め用凸部を用心位置において係止可能な段差部がアーム先端側に面して設けられ、アームが係合軸先端側に回動すると、段差部に抜け止め用凸部が係止されて扉が用心位置に保持される請求項１記載のドアガード。
【請求項３】
アーム規制部として、アームを係止する係止用凸部が係合軸に設けられている請求項１又は２記載のドアガード。
【請求項４】
係止用凸部は、開扉時に係合軸がスライド孔を相対移動する際における進行方向前方側に設けられている請求項３記載のドアガード。
【請求項５】
開扉時に係合軸がスライド孔を相対移動する際における進行方向後方側にも前記係止用凸部が設けられている請求項４記載のドアガード。
【請求項６】
係止用凸部が弾性変形可能に構成されている請求項３乃至５の何れかに記載のドアガード。
【請求項７】
アームの所定位置には、抜け止め用凸部が挿入可能な凹部が設けられ、該凹部のアーム基端側壁面が前記段差部として構成され、アーム規制部により抜け止め用凸部の凹部への挿入が阻止される請求項２乃至６の何れかに記載のドアガード。
【発明の詳細な説明】
【０００１】
【発明の属する技術分野】
本発明は、扉の開放を用心位置に制限して無用の人の不法侵入を阻止することができるドアガードに関する。
【０００２】
【従来の技術】
この種ドアガードとしては種々あるが、本願出願人は、先に図８乃至図１０のような構成のものを提案している。
即ち、該構成のドアガードは、スライド孔を形成すべく略Ｕ字状に形成されてその開放端側が扉Ｄの内面に回動自在に取り付けられるアーム５０と、扉枠Ｗに固定されてスライド孔に係合する係合軸５１とを備えている。また、係合軸５１の先端部にはスライド孔からの抜け止めのために抜け止め用凸部５２が形成される一方、アーム５０の閉塞端側には、抜け止め用凸部５２が係入可能な凹部５３が形成されている。
【０００３】
そして、該ドアガードを所定の防犯位置に回動した状態で扉Ｄの開扉操作を行うと、その開扉操作に伴って抜け止め用凸部５２がアーム５０のガイド面５４に案内されながら係合軸５１がスライド孔をアーム閉塞端側に相対移動する。しかる後、図１０のように抜け止め用凸部５２が凹部５３に係入し、その凹部５３のアーム開放端側壁面５３ａに抜け止め用凸部５２が係止されることにより、扉Ｄにドアクローザ等による閉扉力が作用しても扉Ｄは用心位置に確実に保持される。
【０００４】
【発明が解決しようとする課題】
ところで、ドアガードを防犯位置にセットした状態で開扉すると、図８のように係合軸５１がアーム５０のスライド孔内壁面の終端部５５（閉塞端内面）に当接し、これにより扉Ｄの所定位置を越えての開扉が阻止されるが、係合軸５１がアーム５０の閉塞端内面に衝突する際、通常の開扉力で開扉したとしても少なからずアーム５０には振動、衝撃が生じる。この衝撃によってアーム５０には扉Ｄの内面に沿った元の状態へと復帰しようとする力が作用し、従って、アーム５０は図８の状態から図９の状態へと開扉動作のみで自動的に係合軸先端側に自由回動する。尚、アーム５０が元の状態に戻ろうとする復帰力は、係合軸５１が抜け止め用凸部５２に向けて徐々に細く形成されている場合には特に顕著に作用する。
【０００５】
このように図８の状態からアーム５０が自動的に回動することにより、係合軸５１の抜け止め用凸部５２が自動的に凹部５３に係合することとなり、従って、扉Ｄは開扉の都度自動的に用心位置に保持されることとなる。
【０００６】
即ち、開扉操作のみで扉Ｄが自動的に用心位置に保持されるため、図８の状態でアーム５０の別途の回動操作が不要となることから操作性に優れて便利である一方、操作者によっては、意図していないにも関わらず常に用心位置に保持されることを好まない場合もある。つまり、扉Ｄを用心位置に保持させずに直ちに閉扉したい場合であっても上記構成では用心位置に常に保持されるために、意図せず用心位置に保持された扉Ｄを閉扉するためにアーム５０を図１０の位置から図８の位置に操作することが必要となる。
【０００７】
このように、上記従来のドアガードにあっては、操作者の意図によらず常に用心位置に扉Ｄが保持される構成であったため、操作者が意図する場合のみ用心位置に扉Ｄが保持され、それ以外の場合には用心位置に保持されずに閉扉されるようなドアガードも要望されていた。
【０００８】
それゆえに本発明は上記従来の問題点に鑑みてなされ、ドアガードを使用して用心位置まで開扉した際に、用心位置に扉を保持させる場合と用心位置に保持させずにそのまま閉扉する場合とを操作者が任意に選択して使い分けることができるドアガードを提供することを課題とする。
【０００９】
【課題を解決するための手段】
本発明は、上記課題を解決すべくなされたものであり、本発明に係るドアガードは、長手方向に沿ってスライド孔が形成されその基端部が扉側に回動自在に取り付けられるアームと、扉枠側に取り付けられ、前記スライド孔に係合すると共に開扉操作に伴ってスライド孔をアーム先端側へと相対移動する係合軸とを備え、該係合軸がアームのストッパ部に当接することにより所定の用心位置に開扉を制限するように構成されると共に、該係合軸がストッパ部に当接した状態からアームが係合軸先端側に回動すると扉を用心位置に保持できるドアガードにおいて、開扉操作により係合軸がストッパ部に当接した状態においてアームの係合軸先端側への自由回動を阻止するアーム規制部が設けられ、用心位置においてアームを別途操作することにより、アームが係合軸先端側に回動するよう構成されていることを特徴とする。
【００１０】
特に、係合軸の先端部にはスライド孔からの抜け止め用凸部が設けられ、該抜け止め用凸部を案内するアームのガイド面には、抜け止め用凸部を用心位置において係止可能な段差部がアーム先端側に面して設けられ、アームが係合軸先端側に回動すると、段差部に抜け止め用凸部が係止されて扉が用心位置に保持されることが好ましく、確実に用心位置に扉を保持することができる。
【００１１】
また、アーム規制部として、アームを係止する係止用凸部が係合軸に設けられていることが好ましく、簡易な構成でありながらも確実にアームの自由回動を阻止することができる。
【００１２】
また、係止用凸部は、開扉時に係合軸がスライド孔を相対移動する際における進行方向前方側に設けられていることが好ましく、これにより、開扉時に係合軸がスライド孔を相対移動する際に係止用凸部が邪魔になることがない。
【００１３】
更に、開扉時に係合軸がスライド孔を相対移動する際における進行方向後方側にも前記係止用凸部が設けられていることが好ましく、これにより、扉枠に係合軸を取り付ける際の自由度が高まる。
【００１４】
また、係止用凸部が弾性変形可能に構成されていると、アームの別途操作の際に係止用凸部が弾性変形するため、アームを係合軸先端側にスムーズに回動させることができる。
【００１５】
また、アームの所定位置には、抜け止め用凸部が挿入可能な凹部が設けられ、該凹部のアーム基端側壁面が前記段差部として構成され、アーム規制部により抜け止め用凸部の凹部への挿入が阻止されることが好ましい。この構成の場合には、凹部に抜け止め用凸部を挿入させて隠すことができる。従って、操作者は抜け止め用凸部が凹部に隠れたことを外部から確認でき、その情報からアームの別途の操作を正常に行うことができたことを知ることができる。また、抜け止め用凸部を凹部に隠すことができるため、アームの外形をシンプルなものとすることができる。
【００１６】
【発明の実施の形態】
以下、本発明に係るドアガードの一実施形態について図１乃至図６を参酌しつつ説明する。
ドアガードは、就寝時等における防犯性等のために使用されるもので、図１及び図２に示す如く、扉Ｄの内面に回動自在に取り付けられるアーム１と、扉枠Ｗに取り付けられて前記アーム１を係止する係止具２とを備えている。アーム１は、扉Ｄの開閉中心軸（図示省略）に対して直交する平面に沿って回動するように取り付けられ、一般には、扉Ｄの開閉中心軸は鉛直方向であるため、アーム１は水平面に沿って回動する。更には、アーム１は、開閉中心軸から離れた扉Ｄの先端部に取り付けられ、係止具２は、その扉Ｄの先端部に対向した箇所に扉Ｄ側に面して取り付けられる。以下、アーム１と係止具２の各々の構成について具体的に説明する。
【００１７】
アーム１は、アーム取付具３を介して扉Ｄの内面に回動自在に取り付けられる。該アーム取付具３は、ネジ等によって扉Ｄの内面に取り付けられる板状の座部４と、該座部４から室内側に向けて略水平に突設された上下一対のアーム支持部５とを有している。アーム１は、両アーム支持部５間に挿入されて、縦軸６により各々のアーム支持部５に枢着される。
【００１８】
アーム１は、金属製であり、その長手方向に伸びる長孔状のスライド孔７を有し、該スライド孔７は、扉Ｄへの取付側が幅広部７ａとなっている。具体的には、アーム１は、略Ｕ字状に形成されることにより、互いに略平行な上下一対の対向部８間に、水平方向に開口する前記スライド孔７が形成されている。そして、アーム１は、その開放端側を基端部１ｂとし閉塞端側を先端部１ａとするようにアーム取付具３に取り付けられる。即ち、両対向部８の基端部１ｂがそれぞれアーム支持部５に枢着されている。また、両対向部８の上下離間距離はアーム１の基端部１ｂを除いて略一定であるが、アーム１の基端部１ｂにおいて両対向部８が拡開されることによりスライド孔７に前記幅広部７ａが形成される。このようにスライド孔７は幅広部７ａを除いて幅略一定に形成されている。
【００１９】
また、アーム１の扉Ｄ側のスライド孔開口縁部を長手方向に沿って直線的に切り欠くことにより、スライド孔７よりも幅広で且つ幅略一定のスライド溝９がアーム１の長手方向一側面１０に形成されている。尚、該長手方向一側面１０はアーム１が後述する倒し姿勢の際に扉Ｄの内面に対向する面である。
該スライド溝９は、スライド孔７の幅広部７ａを始点としてアーム１の先端部１ａに向けて形成されているが、該スライド溝９はアーム１の基端部１ｂ側ほど深底に形成されている。即ち、スライド溝９はアーム先端側に向けて徐々に深さが浅くなっている。また、そのスライド溝９の終端部分には、一段深い凹部１１が形成されている。尚、該凹部１１は、アーム１の屈曲部分に形成されているため、凹部１１の底面１１ａは略Ｕ字状の平面である。
【００２０】
かかるアーム１を係止するための係止具２は、金属製であり、扉枠Ｗにネジ等によって取り付けられる板状の座部２０と、該座部２０から略水平方向に突設された係合軸２１とを有している。該係合軸２１は、図２のように閉じた扉Ｄと略平行であり、扉Ｄによって開閉される部屋等の出入り口に向けて突出するように、扉Ｄの開閉中心軸に向けて伸びており、また、係止具２は、図１のようにスライド孔７の幅方向の略中心に係合軸２１が位置するように扉枠Ｗに取り付けられる。
【００２１】
係合軸２１は、図１乃至図３に示すように、径略一定の円柱状の胴部２１ａの先端側に、上下一対の抜け止め用凸部２２を有する頭部２１ｂが形成された構成である。胴部２１ａは、スライド孔７の幅よりも細くてスライド孔７に係合可能且つスライド孔７内を該スライド孔７の長手方向に沿って相対移動可能であり、該係合軸２１の先端部に胴部２１ａから上下に突出する抜け止め用凸部２２が上下一対形成されることにより、係合軸２１のスライド孔７からの抜けが防止される。具体的には、両抜け止め用凸部２２の先端部間の寸法は、スライド孔７の幅よりも大きく、スライド溝９の幅よりも短い。従って、抜け止め用凸部２２がスライド溝９の底面９ａに係止されると共に、開扉時及び閉扉時には抜け止め用凸部２２がスライド溝９の底面９ａをガイド面として長手方向に相対的に摺動、案内される。
【００２２】
尚、スライド孔７の幅広部７ａは抜け止め用凸部２２が挿入可能に形成されている。また、前記凹部１１は、抜け止め用凸部２２を有する頭部２１ｂが挿入可能に形成され、凹部１１に係合軸２１の頭部２１ｂが嵌り込むと、抜け止め用凸部２２の一側面２２ａが凹部１１のアーム基端側壁面１１ｂ（段差部）に当接し、それよって係合軸２１のアーム基端側への移動が阻止される。尚、抜け止め用凸部２２の両側面２２ａは平面に形成されている。
【００２３】
更に、胴部２１ａには、図３のように、水平方向に係止用凸部２３が突設されている。該係止用凸部２３は、略１８０度対向した位置に左右一対形成されており、両係止用凸部２３は、共に、頭部２１ｂの抜け止め用凸部２２よりも係合軸基端側に位置している。このように、本実施形態における係合軸２１は、係止用凸部２３が左右に形成された構成であって左右対称形状に形成されている。尚、係止用凸部２３の突出量は任意に設定できるが、図６のように、扉Ｄの開閉時にアーム先端側を向く係止用凸部２３の先端と抜け止め用凸部２２の一側面２２ａ（凹部１１のアーム基端側壁面１１ｂに当接する側の側面）との間の幅Ｘが、アーム１のスライド孔内壁面の終端部１２と凹部１１のアーム基端側壁面１１ｂとの間の距離Ｌに対して短くなるように、係止用凸部２３の突出量が設定される。また、係止用凸部２３の係合軸基端側の端部２３ａは、突出量が係合軸先端側に向けて徐々に大きくなるようなテーパ状に形成されている。
【００２４】
次に以上のように構成されたドアガードの使用状態について説明する。
このドアガードは、アーム１を回動することにより、ドアガードを使用する状態と使用しない状態とを使い分ける。即ち、閉扉状態において、アーム１を、図２に実線にて示すように扉Ｄと略平行な状態である倒し姿勢と、該倒し姿勢から略９０度回動した図２に二点鎖線にて示しているような起こし姿勢とを選択的に採らせることにより、扉Ｄが所定の用心位置を越えては開扉しない施錠モードと、扉Ｄが制限なく開扉する非施錠モードとを使い分けることができる。以下、施錠モードについて更に説明する。
【００２５】
図２に実線で示す倒し姿勢から室内側に向けて略９０度アーム１を回動して二点鎖線で示す起こし姿勢にすると、係合軸２１の頭部２１ｂがスライド孔７の幅広部７ａに挿入されると共に、抜け止め用凸部２２はスライド孔７を貫通する。
【００２６】
この状態から開扉操作を行うと、扉Ｄの開扉動作に伴って、係合軸２１の胴部２１ａがスライド孔７内をアーム先端側に向けて相対移動する。その際、抜け止め用凸部２２が設けられているため係合軸２１がスライド孔７から離脱することが防止され、図６（イ）のように、抜け止め用凸部２２がスライド溝９の底面９ａをガイド面としながらアーム長手方向に摺動していく。
【００２７】
しかる後、図４、図５（イ）及び図６（ロ）の如く係合軸２１の胴部２１ａがスライド孔内壁面の終端部１２（ストッパ部）に衝突する。このようにアーム１が係合軸２１に係止されることにより、用心位置を越えた扉Ｄの開放が阻止される。尚、このように、係合軸２１のうちスライド孔内壁面の終端部１２に当接する部分は、抜け止め用凸部２２よりも係合軸基端側にある。
【００２８】
このように係合軸２１の胴部２１ａがスライド孔内壁面の終端部１２に当接すると、その際の衝撃、反動によってアーム１には倒し姿勢側に戻ろうとする力が作用する。即ち、図５（イ）において、アーム１は係合軸先端側に回動しようとするが、係合軸２１の胴部２１ａには、開扉時に係合軸２１がスライド孔７を相対移動する際における進行方向前方側に係止用凸部２３が形成されているため、該係止用凸部２３によってそのアーム１の回動が阻止される。詳細には、係合軸２１の胴部２１ａがスライド孔内壁面の終端部１２に当接した際、前側の係止用凸部２３が凹部１１の底面１１ａを係止することとなり、該前側の係止用凸部２３によってアーム１の係合軸先端側への自由回動が規制される。従って、この状態で扉Ｄから手を離すと、扉Ｄはドアクローザ等による閉扉力によって自動的に閉扉する。
【００２９】
一方、スライド孔内壁面の終端部１２に係合軸２１の胴部２１ａが当接した状態から、扉Ｄに作用している閉扉力を利用する等して係合軸２１をアーム基端側に向けて僅かに相対的に移動させつつアーム１を手動で係合軸先端側に押圧すると、凹部１１の底面１１ａが前側の係止用凸部２３を乗り越えて両者の係止状態が解除される。係止状態が解除されると、アーム１は係合軸先端側に所定角度回動し、図５（ロ）及び図６（ハ）の如く抜け止め用凸部２２を有する頭部２１ｂが凹部１１に挿入すると共に、抜け止め用凸部２２が凹部１１のアーム基端側壁面１１ｂによって係止され、これによって扉Ｄから手を離しても扉Ｄは用心位置に確実に保持される。
【００３０】
以上説明したように、開扉操作で係合軸２１がスライド孔内壁面の終端部１２に当接した状態において、係合軸２１の係止用凸部２３がアーム１を係止して係合軸先端側への自由な回動を阻止するため、操作者がアーム１を別途操作しない限り、係合軸２１の頭部２１ｂが凹部１１内に挿入することがない。従って、用心位置まで開扉した後そのまま直ちに閉扉したい場合には、図４に示した状態から手を離せばドアクローザ等による自閉力によって扉Ｄは自動的に元の状態まで閉扉する。また、用心位置で扉Ｄを保持させたい場合には図４の状態からアーム１を別途回動操作することにより用心位置に扉Ｄを保持させることができる。このように使用用途に応じて、用心位置に扉Ｄを保持させる場合と用心位置に保持させずにそのまま閉扉Ｄする場合とを操作者が任意に選択して使い分けることができるのである。
【００３１】
また、係止用凸部２３の係合軸基端側の端部２３ａがテーパ状に形成されているため、アーム１の別途の回動操作の際にスムーズにアーム１を回動操作することができるという利点がある。
【００３２】
更に、開扉時に係合軸２１がスライド孔７を相対移動する際における進行方向前方側に係止用凸部２３が設けられているため、係止用凸部２３の突出方向がスライド孔７の長手方向となり、係止用凸部２３が係合軸２１の相対移動の邪魔になりにくい。
【００３３】
また、係止用凸部２３を進行方向後方側にも同様に設けていて係合軸２１を左右対称形状としているため、係止具２を扉枠Ｗに取り付ける際に左右何れも向きにも取り付けることが可能となって取付作業が容易となる。但し、上述のようにスライド孔７の長手方向に沿って突出する係止用凸部２３を左右一対設ける構成には限定されず、少なくとも進行方向前方側（即ちストッパ部であるスライド孔内壁面の終端部１２に当接する側）に係止用凸部２３が形成されていればよい。
【００３４】
尚、係止用凸部２３の形状についても適宜設計変更可能であって、例えば、頭部２１ｂに向けて徐々に突出量が大きくなるように全体的にテーパ状に形成してもよい。換言すれば、係合軸２１の水平方向の幅を基端から先端に向けて徐々に大きくしてもよい。
【００３５】
更に、係止用凸部２３を胴部２１ａとは別体に形成したり、抜け止め用凸部２２を胴部２１ａとは別体に形成してもよい。また、係止用凸部２３を弾性変形可能に形成してもよい。弾性変形可能に構成すれば、上述した幅Ｘが長さＬに対して長くなってもよいため、設計の自由度が増すと共に、アーム１の別途の回動操作の際にスムーズに回動させることができるという利点がある。このように係止用凸部２３を弾性変形可能とする構成の一例としては、例えば、胴部２１ａに係止用凸部２３としてＯリング等の環状の弾性部材を装着する構成がある。
【００３６】
このように、係合軸２１の構成は種々変更可能であって、抜け止め用凸部２２を種々変形したり、胴部２１ａの断面形状を円形以外の形状（矩形等）としたりすることも可能である。
【００３７】
また更に、開扉操作により係合軸２１がストッパ部に当接した状態においてアーム１の係合軸先端側への自由回動を規制するアーム規制部として係合軸２１に係止用凸部２３を設けたが、係合軸２１におけるアーム規制部の構成も適宜設計変更可能である。何れにしても、ドアガードにアーム規制部を設けることによって、開扉操作により係合軸２１がストッパ部に当接した状態においてアーム１の係合軸先端側への自由回動を阻止され、アーム１の別途の操作によりアーム１が回動する構成であればよい。但し、アーム規制部として、係合軸２１に係止用凸部２３を設けることにより、簡易な構成でありながらも確実にアーム１の自由回動を阻止することができる。
【００３８】
また、上記実施形態では、係合軸２１が当接するストッパ部が、スライド孔内壁面の終端部１２である場合について説明したが、例えば、長手方向一側面１０から側方に突出するストッパ部を設けるなど、ストッパ部の位置や形状、構成も種々変更可能である。
【００３９】
更に、上記実施形態では、アーム１の長手方向一側面１０にスライド溝９を形成してそのスライド溝９の底面９ａを抜け止め用凸部２２を案内するガイド面としていたが、スライド溝９を形成せずにアーム１の長手方向一側面１０をそのままガイド面としてもよい。
【００４０】
また、抜け止め用凸部２２が挿入可能な凹部１１が設けられてそのアーム基端側壁面１１ｂを段差部とした場合について説明したが、凹部１１を設けない構成としてもよい。例えば、図７に示すように、アーム１の先端側を階段状に屈曲形成することにより、ガイド面となるアーム１の長手方向一側面１０にアーム先端側に面する段差部３０を設け、該段差部３０により抜け止め用凸部２２を用心位置において係止するようにしてもよい。但し、上述したような凹部１１を設けることにより、用心位置において抜け止め用凸部２２を凹部１１内に隠すことができるため美観に優れるうえに、凹部１１に抜け止め用凸部２２が隠れているか否かを目視することによって操作者はアーム１の別途の回動操作が正常に完了したか否かを判別できる。また、抜け止め用凸部２２を凹部１１に隠すことができるため、図７のようにアーム１を屈曲形成する必要がなくなってアーム１の外形をシンプルなものとすることができる。
【００４１】
更に、上記実施形態では、略Ｕ字状のアーム１について説明したが、特にこれに限定されることはなく、リング状であってもよい。
【００４２】
また、スライド孔７がアーム１の長手方向一側面１０に開口していない構成としてもよい。
【００４３】
【発明の効果】
以上のように、本発明に係るドアガードにあっては、開扉操作により係合軸がストッパ部に当接した状態においてアーム規制部がアームの係合軸先端側への自由回動を阻止すると共に、アームの別途操作によってはじめてアームが係合軸先端側に回動して扉を用心位置に保持するため、従来のように操作者の意図によらずに常に扉が用心位置に保持されるということがなく、用心位置に扉を保持させる場合と用心位置に保持させずにそのまま閉扉する場合とを操作者が任意に選択して使い分けることができる。
【図面の簡単な説明】
【図１】本発明の一実施形態におけるドアガードを室内側から見た側面図。
【図２】図１のＢ−Ｂ断面図。
【図３】同ドアガードにおける係合軸を示す図１のＡ−Ａ断面図。
【図４】同ドアガードの使用状態を示す一部断面を含む平面図であって、扉が用心位置に位置する状態を示す図。
【図５】同ドアガードの使用状態を示し、（イ）は図４の要部拡大図、（ロ）は扉が用心位置に保持された状態を示す要部拡大図。
【図６】同ドアガードの使用状態を示し、（イ）は用心位置手前の状態を示す側面図、（ロ）は用心位置に到達した状態を示す側面図、（ハ）は用心位置に保持された状態を示す側面図。
【図７】他の実施形態におけるドアガードの要部を示す平面図。
【図８】従来のドアガードを示す図４に対応した平面図。
【図９】図８の状態からアームが係合軸先端側に回動した状態を示す平面図。
【図１０】扉Ｄが用心位置に保持された状態を示す図５（ロ）に対応した平面図。
【符号の説明】
１…アーム、２…係止具、３…アーム取付具、４…座部、５…アーム支持部、６…縦軸、７…スライド孔、７ａ…幅広部、８…対向部、９…スライド溝、９ａ…底面（ガイド面）、１０…長手方向一側面、１１…凹部、１１ａ…底面、１１ｂ…アーム基端側壁面、１２…スライド孔内壁面の終端部（ストッパ部）、２０…座部、２１…係合軸、２１ａ…胴部、２１ｂ…頭部、２２…抜け止め用凸部、２２ａ…一側面、２３…係止用凸部、２３ａ…端部、Ｄ…扉、Ｗ…扉枠
【図１】
2004044274.tif 000003
【図２】
2004044274.tif 000004
【図３】
2004044274.tif 000005
【図４】
2004044274.tif 000006
【図５】
2004044274.tif 000007
【図６】
2004044274.tif 000008
【図７】
2004044274.tif 000009
【図８】
2004044274.tif 000010
【図９】
2004044274.tif 000011
【図１０】
2004044274.tif 000012